(57)【要約】【課題】ケース本体とカバーとを結合させる際に、同時にケース本体とカバーとを導通させることができる電子機器収納箱を提供する。【解決手段】電子機器収納箱１は、前面が開口したケース本体３と、カバー前蓋１０およびカバー前蓋１０の外周から後方に延びるカバー周壁１１により形成されたカバー２とで構成される。固定用ねじ１４が、カバー下壁１１ｂに開口した挿通穴１２に下方から挿通され、導電性の固定用金具１５の固定用穴１７に螺合される。ケース本体３の開口面を形成する端縁にガイド片７が、カバー周壁１１の内周に重複するように形成される。ケース本体３とカバー２との結合時に、下ガイド片７ｂに開口した切欠部９に固定用ねじ１４が挿入される。固定用ねじ１４の螺合時、固定用金具１５の下面に突設されたケース導通用エッジ１９およびカバー導通用エッジ１８がケース本体３およびカバー２に食い込む。【選択図】図１
2012074421.tif 000002
【特許請求の範囲】
【請求項１】
一面に開口面を有する筐体であって、前記開口面を形成する端縁から延びるガイド片を有するケース本体と、前記ケース本体の開口面を覆うカバー前蓋と前記ガイド片に重複するカバー周壁とを一体に備えるカバーと、前記カバー周壁および前記ガイド片に外側から挿通される固定用ねじと、前記固定用ねじが螺合する板状の固定用金具とを有し、前記固定用金具には、前記カバー周壁および前記ガイド片と対向する面からケース導通用エッジおよびカバー導通用エッジが突出しており、前記固定用ねじの締付けに伴って、前記ケース導通用エッジが前記ガイド片に食い込むとともに前記カバー導通用エッジが前記カバー周壁に食い込むことにより、前記固定用金具を通じて前記ケース本体と前記カバーとを導通させることを特徴とする電子機器収納箱。
【請求項２】
前記カバー周壁と前記ガイド片との一方は、他方の内側に重複するとともに前記固定用ねじが挿通される箇所において端縁が開放した切欠部が形成され、前記固定用金具における前記切欠部の導入部位には、前記カバー周壁と前記ガイド片との他方との対向面から離れながら延びるテーパ片が一体に設けられていることを特徴とする請求項１記載の電子機器収納箱。
【発明の詳細な説明】
【技術分野】
【０００１】
本発明は、ケース本体およびカバーで構成され、その内部に電子機器を収納する電子機器収納箱に関するものである。
【背景技術】
【０００２】
従来から、一面が開口した導電性のケース本体、およびケース本体の開口面の全面を覆うようにケース本体と結合する導電性のカバーを備え、その内部に電子機器を収納する電子機器収納箱が提供されている（例えば、特許文献１参照）。
【０００３】
近年、電子機器の高精度・高機能化に伴い、電子機器の放射する電磁波による他の電子機器への影響が問題になっている。そのため、上記の電子機器収納箱では、ケース本体とカバーとを導通させて電子機器収納箱を等電位化し、電子機器収納箱を電磁シールドとして使用している。これにより、電子機器収納箱の外部からの電磁波の侵入と、電子機器収納箱の内部の電子機器が放射する電磁波の外部への漏洩とを抑制する。
【０００４】
特許文献１では、ケース本体とカバーとを導通させるために、電子機器収納箱の内部にリード線を設けている。しかし、リード線を別途設けるためには、電子機器収納箱の内部にリード線を配線するための部品の追加やリード線を収納する空間の確保が必要となる。他にも、ケース本体とカバーとの結合時、ケース本体とカバーとの間へのリード線の挟込みなどにより、リード線に障害が発生する虞がある。
【０００５】
そのため、リード線を別途設けることなくケース本体とカバーとを導通させる手段が必要となる。その一手段として、ケース本体とカバーとを結合するねじ止め部分を利用する技術がある。
【０００６】
この電子機器収納箱においては、ケース本体にはカバーと結合するためのねじ取付け部が設けられている。また、カバーにはねじ取付け部に対応する箇所に挿通穴が設けられており、カバーは挿通穴がねじ取付け部を外側から覆うようにケース本体と結合される。ケース本体とカバーとを位置固定した状態で、導電性の固定用ねじをカバーの外側から挿通穴に挿通しケース本体のねじ取付け部に取り付けることにより、ケース本体とカバーとを結合する。これにより、ケース本体とカバーの両当接面もしくは固定ねじを通じてケース本体とカバーとは導通する。
【０００７】
しかし、電子機器収納箱の外観を向上させるために、ケース本体の表面およびカバーの表面は塗装される。一般に塗膜は絶縁性を有するので、ケース本体の表面およびカバーの表面は絶縁性の塗膜により導通性を有さなくなる。そのため、ケース本体とカバーの両当接面を通じてケース本体とカバーとは導通しない。また、ケース本体およびカバーは固定ねじとの当接部分においても導電性を有さないので、固定ねじを通じてもケース本体とカバーとは導通しない。
【０００８】
一方で、上記の塗装が施されている場合であっても、結合部分を通じてケース本体とカバーとを導通させるために、固定用ねじに代えて共に導電性の座金組込みボルトおよびナットを使用する技術がある。座金はカバーとの当接方向に歯を持つ歯付き座金を使用し、ナットはケース本体との当接方向に歯を持つ歯付きナットを使用する。この座金組込みボルトをカバーの挿通穴およびケース本体のねじ取付け部に挿通しナットと締結させることにより、ケース本体とカバーとを結合する。
【０００９】
上記のケース本体とカバーとの結合時、座金の歯がカバーの挿通穴周縁の塗装を剥がすことにより、座金とカバーの導電性を有する部分とが当接する。また、ナットの歯がケース本体のねじ取付け部周縁の塗装を剥がすことにより、ナットとケース本体の導電性を有する部分とが当接する。これにより、座金組込みボルトおよびナットを通じてケース本体とカバーとを導通させることが可能になる。
【先行技術文献】
【特許文献】
【００１０】
【特許文献１】実開昭６１−１３４０８５号公報
【発明の概要】
【発明が解決しようとする課題】
【００１１】
しかし、上記の技術ではカバーの外側面において挿通穴周縁の塗装が剥がれたり、傷がついたりするため、電子機器収納箱の外観を損なうなどの問題がある。
【００１２】
本発明は、上記の事由に鑑みて為されたものであって、外観を損なうことなく、ケース本体とカバーとの結合時にケース本体とカバーとを導通させることができる電子機器収納箱を提供することを目的とする。
【課題を解決するための手段】
【００１３】
本発明の電子機器収納箱は、一面に開口面を有する筐体であって、開口面を形成する端縁から延びるガイド片を有するケース本体と、ケース本体の開口面を覆うカバー前蓋とガイド片に重複するカバー周壁とを一体に備えるカバーと、カバー周壁およびガイド片に外側から挿通される固定用ねじと、固定用ねじが螺合する板状の固定用金具とを有し、固定用金具には、カバー周壁およびガイド片と対向する面からケース導通用エッジおよびカバー導通用エッジが突出しており、固定用ねじの締付けに伴って、ケース導通用エッジがガイド片に食い込むとともにカバー導通用エッジがカバー周壁に食い込むことにより、固定用金具を通じてケース本体とカバーとを導通させることを特徴とする。
【００１４】
この電子機器収納箱において、カバー周壁とガイド片との一方は、他方の内側に重複するとともに固定用ねじが挿通される箇所において端縁が開放した切欠部が形成され、固定用金具における切欠部の導入部位には、カバー周壁とガイド片との他方との対向面から離れながら延びるテーパ片が一体に設けられていることが望ましい。
【発明の効果】
【００１５】
本発明は、電子機器収納箱の外観を損なうことなく、ケース本体とカバーとの結合時にケース本体とカバーとを導通させるという利点がある。
【図面の簡単な説明】
【００１６】
【図１】実施形態の電子機器収納箱の分解斜視図である。
【図２】同上の電子機器収納箱の斜視図である。
【図３】同上のカバーの要部分解斜視図である。
【図４】同上のカバーの側部の要部断面図である。
【図５】（ａ）は同上のカバーとケース本体との結合前の要部断面図、（ｂ）は同上のカバーとケース本体との結合時の要部断面図である。
【発明を実施するための形態】
【００１７】
（実施形態）
以下では、図２の上下方向を上下方向とし、電子機器収納箱１のカバー２のある面を前面として説明する。
【００１８】
本実施形態の電子機器収納箱１は、図１に示すように、前面が開口したケース本体３と、ケース本体３の開口した前面を覆うようにケース本体３と結合するカバー２とで構成される。ケース本体３の表面およびカバー２の表面は、絶縁性を有する塗料により塗装が施されている。本実施形態のカバー２には、電子機器収納箱１に収納した電子機器を操作するための操作窓４が設けられている。
【００１９】
ケース本体３は前面以外の面を囲う矩形筐体であり、上下左右方向を囲うケース周板５と後方を塞ぐ図示しない後板とで構成される。ケース周板５は、上部であるケース上板５ａと下部であるケース下板５ｂと左右両側部であるケース側板５ｃとで構成される。図１はケース本体３の内部にボックス６を配設した状態を示しており、ボックス６の内部には図示しない電子機器が収納されている。
【００２０】
図１に示すように、ケース本体３にはケース周板５の前端縁から前方に延びるガイド片７が備えられている。ガイド片７は、上部である上ガイド片７ａと下部である下ガイド片７ｂと左右両側部である側ガイド片７ｃとで構成される。上ガイド片７ａには、係止穴８が左右の２箇所に設けられている。また、下ガイド片７ｂには、前方に開放されたU字状の切欠部９が左右の２箇所に設けられている。切欠部９は、上下方向に貫設されている。
【００２１】
カバー２は、後面が矩形状に開口した薄箱状に形成されており、カバー２の前面を形成するカバー前蓋１０と、カバー前蓋１０の外周に沿って後方に形成されたカバー周壁１１とで構成される。カバー周壁１１は、上部であるカバー上壁１１ａと下部であるカバー下壁１１ｂと左右両側部であるカバー側壁１１ｃとで構成される。
【００２２】
カバー上壁１１ａには、図示しない係止爪が２箇所において内向きに突設されている。係止爪は、ケース本体３とカバー２との結合時に、上ガイド片７aの係止穴８に挿入し、引っ掛けられる。また、カバー下壁１１ｂには挿通穴１２（図３参照）が左右の２箇所に貫設されている。挿通穴１２は、ケース本体３とカバー２との結合時に、それぞれ対応する切欠部９と左右方向に重複する。
【００２３】
図２に示すように、ケース本体３とカバー２との結合時においては、ケース周板５の外面とカバー周壁１１の外面とは面一になる。ガイド片７は、図２の状態においてカバー周壁１１の内周と重複するように、ケース周板５の前端縁から前方に延びている。ガイド片７はケース周板５の前端縁の外周よりも内側に形成されるため、ケース周板５の前端縁において、ケース周板５の外周とガイド片７との間には段差（以下、段差部１３とする。）が生じる。
【００２４】
ケース本体３とカバー２との結合時、カバー周壁１１の内周はガイド片７と重複するので、ガイド片７はカバー２をケース本体３との結合位置まで導くガイドとして機能する。ケース本体３とカバー２との結合は、カバー周壁１１の後端縁を段差部１３と当接する位置においてなされる。ガイド片７の前後方向の幅は、カバー周壁１１の前後方向の幅より短く形成されている。
【００２５】
図３に示すように、カバー下壁１１ｂの挿通穴１２と下ガイド片７ｂの切欠部９とによる固定には、固定用ねじ１４と固定用金具１５と抜け止めリング１６とを用いる。
【００２６】
固定用金具１５は、金属板を用いて矩形状に形成されている。固定用金具１５には、固定用ねじ１４を取り付けるための固定用穴１７が設けられている。固定用穴１７の中心から固定用金具１５の前端までの距離は、挿通穴１２の中心からカバー前蓋１０までの距離と略等しい。
【００２７】
図４に示すように、固定用金具１５の前端の下面には、カバー導通用エッジ１８が突設されている。また、固定用金具１５の下面には、固定用穴１７とカバー導通用エッジ１８と前後方向の間に、ケース導通用エッジ１９が突設されている。ケース導通用エッジ１９の突設寸法は、カバー導通用エッジ１８の突設寸法よりも下ガイド片７ｂの厚み分程度短い。固定用金具１５の後端部にはカバー下壁１１ｂとの間隔を広げながら後方へ延伸されたテーパ片２０が設けられている。
【００２８】
抜け止めリング１６は、その外径が固定用穴１７の直径より大きく、固定用ねじ１４のねじ先部分に取り付けられる。固定用ねじ１４を固定用穴１７に挿通した状態において抜け止めリング１６を固定用ねじ１４に取り付けることにより、固定用ねじ１４は固定用穴１７から抜けなくなり、固定用金具１５から取り外すことができなくなる。抜け止めリング１６としては、EリングやCリングを用いることができる。
【００２９】
図５（ａ）に示すように、ケース本体３とカバー２との結合前、固定用ねじ１４は、カバー下壁１１ｂの下方から挿通穴１２に挿通され、固定用金具１５の固定用穴１７に螺合している。固定用金具１５の前端はカバー前蓋１０と対向し、カバー導通用エッジ１８はカバー下壁１１ｂと対向している。また、固定用ねじ１４には抜け止めリング１６が取り付けられているから、固定用ねじ１４を緩めてもカバー下壁１１ｂの挿通穴１２から抜けることはなく、カバー２からの固定用ねじ１４の脱落が防止されている。
【００３０】
次に、本実施形態のケース本体３とカバー２との結合の手順について説明する。
【００３１】
ケース本体３とカバー２とを結合する時、カバー周壁１１がガイド片７によって案内され、カバー上壁１１ａに形成されている係止爪（図示せず）が上ガイド片７ａの係止穴８に挿入され、引っ掛けられる。この時、カバー周壁１１の後端縁と段差部１３とが当接する（図２参照）。
【００３２】
そして、カバー下壁１１ｂと固定用金具１５との間に下ガイド片７ｂが挿入され、下ガイド片７ｂの切欠部９には固定用ねじ１４が挿入される。ここで、固定用金具１５の後端に設けられたテーパ片２０が、カバー下壁１１ｂに対して上方向へ開放した形状を有しているので、下ガイド片７ｂをカバー下壁１１ｂと固定用金具１５との間へ導く差込みガイドとして機能する。そのため、固定用ねじ１４が十分に緩められていない場合であっても、下ガイド片７ｂをカバー下壁１１ｂと固定用金具１５との間へ挿入することが可能となる。
【００３３】
固定用ねじ１４が切欠部９の後端に当接する時、図４に示すように、下ガイド片７ｂの前端はケース導通用エッジ１９とカバー導通用エッジ１８との間まで到達する。ただし、下ガイド片７ｂの前後方向の幅はカバー下壁１１ｂの前後方向の幅より短いので、カバー導通用エッジ１８の下方まで到達することはない。これにより、ケース本体３とカバー２とを結合する時、ケース導通用エッジ１９は下ガイド片７ｂと当接し、カバー導通用エッジ１８はカバー下壁１１ｂと当接することになる。
【００３４】
上記の手順により、カバー上壁１１ａに形成された係止爪が上ガイド片７ａの係止穴８に係合され、カバー下壁１１ｂと固定用金具１５との間に下ガイド片７ｂが挿入され、下ガイド片７ｂの切欠部９には固定用ねじ１４が挿入している。この状態において、固定用ねじ１４を固定用金具１５の固定用穴１７に螺合し固定することにより、ケース本体３とカバー２とが結合する。
【００３５】
図４に示すように、固定用金具１５の前端がカバー前蓋１０に近接しているので、固定用金具１５は固定用穴１７を中心とした回転方向への移動は規制されている。このため、固定用金具１５の固定用穴１７に固定用ねじ１４を螺合する時、固定用金具１５はカバー前蓋１０の当接面により固定され、固定用ねじ１４を回しても共回りすることはない。そのため、固定用ねじ１４を回すことにより、固定用金具１５の固定用穴１７へ固定用ねじ１４を螺合することが可能となる。
【００３６】
固定用ねじ１４を螺合した時、図５（ｂ）に示すように、ケース導通用エッジ１９が下ガイド片７ｂ内面の塗膜を剥がして下ガイド片７ｂに食い込み、カバー導通用エッジ１８がカバー下壁１１ｂの内面の塗膜を剥がしてカバー下壁１１ｂに食い込む。これにより、固定用金具１５はケース本体３の導電性部分およびカバー２の導電性部分に当接する。
【００３７】
その結果、固定用金具１５はケース本体３およびカバー２と導通するため、固定用金具１５を通じてケース本体３とカバー２とは導通する。また、ケース導通用エッジ１９およびカバー導通用エッジ１８が塗膜を剥がす箇所は、ケース本体３およびカバー２の内面であり、ケース本体３およびカバー２の外面の塗膜を剥がしたり、傷をつけたりする虞はない。
【符号の説明】
【００３８】
１    電子機器収納箱
２    カバー
３    ケース本体
７    ガイド片
９    切欠部
１０  カバー前蓋
１１  カバー周壁
１４  固定用ねじ
１５  固定用金具
１８  カバー導通用エッジ
１９  ケース導通用エッジ
２０  テーパ片
【図１】
2012074421.tif 000003
【図２】
2012074421.tif 000004
【図３】
2012074421.tif 000005
【図４】
2012074421.tif 000006
【図５】
2012074421.tif 000007